(57)【要約】【課題】器具全体のカウンターバランスを保持したまま、迅速かつ容易に照明部を移動させることができる照明器具を提供すること。【解決手段】基部３と、前記基部３に連結された中間アーム１３と、前記中間アーム１３に連結された先端アーム１５と、前記先端アーム１５に連結された照明部９と、前記先端アーム１５の基端部に設けられた弾性支持部３７と、前記基部３から、前記先端アーム１５の先端部まで延ばされて、前記先端アーム１５の先端部で折り返されて前記弾性支持部３７に取り付けられた長尺部材３０とを備え、前記基部３と前記中間アーム１３とが、所定のトルク以下では相対的な回転を規制し、かつ所定のトルクを超えると相対的な回転を許容する第一の保持手段１９を介して回転可能に連結されており、前記中間アーム１３と前記先端アーム１５とが、第二の保持手段２３を介して回転可能に連結されていることを特徴とする。【選択図】図１
2008262725.tif 000002
【特許請求の範囲】
【請求項１】
被照明領域の近傍に配置される基部と、
前記基部に回転可能に連結された中間アームと、
前記中間アームに回転可能に連結された先端アームと、
前記先端アームに連結された照明部と、
前記先端アームの基端部に設けられた弾性支持部と、
前記基部から、前記中間アームを介して前記先端アームの先端部まで延ばされて、前記先端アームの先端部で折り返されて前記弾性支持部に取り付けられた長尺部材と
を備え、
前記基部と前記中間アームとが、所定のトルク以下では相対的な回転を規制し、かつ所定のトルクを超えると相対的な回転を許容する第一の保持手段を介して回転可能に連結されており、
前記中間アームと前記先端アームとが、所定のトルク以下では相対的な回転を規制し、かつ所定のトルクを超えると相対的な回転を許容する第二の保持手段を介して回転可能に連結されていることを特徴とする照明器具。
【請求項２】
前記第二の保持手段を支持する連結支持部を備え、
前記連結支持部に、前記基部から前記先端アームに向けて前記長尺部材を案内する回転体が設けられ、
所定のトルク以下では回転を規制し、かつ所定のトルクを超えると回転を許容する回転保持手段に、前記回転体が連結されていることを特徴とする請求項１に記載の照明器具。
【請求項３】
前記長尺部材が前記先端アームに対して傾斜して配されるように、前記長尺部材を案内する連結側案内部が、前記連結支持部に回転可能に設けられていることを特徴とする請求項２に記載の照明器具。
【請求項４】
前記連結側案内部は、前記先端アームの側に突出する連結側突出部を備え、
前記連結側突出部は、前記長尺部材が、前記先端アームの基端部の上方から前記先端アームの先端部に向かって傾斜して配されるように、前記長尺部材を案内することを特徴とする請求項３に記載の照明器具。
【請求項５】
前記長尺部材が前記中間アームに対して傾斜するように前記長尺部材を案内する基部側案内部が、前記基部に設けられていることを特徴とする請求項２から請求項４のいずれか一項に記載の照明器具。
【請求項６】
前記基部側案内部は、前記中間アームの軸線方向に交差する方向であって、前記照明部が配される領域と反対側に突出する基部側突出部を備え、
前記基部側突出部は、前記長尺部材が、前記中間アームの基端部の前記反対側から前記中間アームの先端部に向かって傾斜して配されるように、前記長尺部材を案内することを特徴とする請求項５に記載の照明器具。
【請求項７】
前記長尺部材を巻き取る巻き取り部が、巻き取り方向にのみ回転するワンウェイクラッチを介して前記基部に設けられていることを特徴とする請求項１から請求項６のいずれか一項に記載の照明器具。
【発明の詳細な説明】
【技術分野】
【０００１】
本発明は、照明光を放射する照明器具に関する。
【背景技術】
【０００２】
従来より、照明光を放射する種々の照明器具が利用されている（例えば、特許文献１参照。）。これら照明器具の中には、中間アームと先端アームとが連結部を介して回転可能に連結され、先端アームの先端に照明部が設けられたものが知られている。また、中間アームの基端部は、器具全体を支える板状の基盤部に回転可能に連結されている。さらに、この照明器具には、第一及び第二のワイヤが取り付けられている。すなわち、第一のワイヤは、基盤部から連結部に架けて延ばされ、連結部で折り返されて、中間アームの基端部に設けられたばねに取り付けられている。また、第二のワイヤは、連結部から先端アームの先端部に架けて延ばされ、その先端部で折り返されて、先端アームの基端部に設けられたばねに取り付けられている。
【０００３】
このような構成のもと、中間アームや先端アームを相対的に回転させて照明部の位置を変動させると、第一及び第二のワイヤの配線距離が変動するが、各ばねが伸縮することにより配線距離の変動が吸収される。すなわち、照明部の位置を変動させても、第一及び第二のワイヤごとに負荷を分散させることができ、そのため、ワイヤやばねの径を小さくすることができ、器具全体の小型化、軽量化を図ることができる。
【特許文献１】特開平６−１７６８３４号公報
【発明の開示】
【発明が解決しようとする課題】
【０００４】
しかしながら、上記のような照明器具では、基盤部、中間アーム及び先端アームにかかる負荷が分散されるため、器具全体のカウンターバランスが取り難くなってしまうという問題がある。すなわち、照明部の前後の動きに応じた器具全体の重心が取り難くなるため、照明部を特に前方に動かすと、基盤部を水平に保持することができずに器具全体が倒れてしまう。
このような問題を解消するため、各連結部分に固定用ネジなどを設け、前後方向の動きをロックすることが考えられるが、固定用ネジなどを設けると、部品点数が増加するだけでなく、照明部を動かすごとに固定用ネジを締めなおす必要があるため、利便性が害されてしまう。さらに、固定用ネジを締めて固定しても、それら固定用ネジが緩んでしまうこともある。
【０００５】
本発明は、このような事情に鑑みてなされたものであって、器具全体のカウンターバランスを保持したまま、迅速かつ容易に照明部を移動させることができる照明器具を提供することを目的とする。
【課題を解決するための手段】
【０００６】
上記課題を解決するために、本発明は以下の手段を提供する。
本発明は、被照明領域の近傍に配置される基部と、前記基部に回転可能に連結された中間アームと、前記中間アームに回転可能に連結された先端アームと、前記先端アームに連結された照明部と、前記先端アームの基端部に設けられた弾性支持部と、前記基部から、前記中間アームを介して前記先端アームの先端部まで延ばされて、前記先端アームの先端部で折り返されて前記弾性支持部に取り付けられた長尺部材とを備え、前記基部と前記中間アームとが、所定のトルク以下では相対的な回転を規制し、かつ所定のトルクを超えると相対的な回転を許容する第一の保持手段を介して回転可能に連結されており、前記中間アームと前記先端アームとが、所定のトルク以下では相対的な回転を規制し、かつ所定のトルクを超えると相対的な回転を許容する第二の保持手段を介して回転可能に連結されていることを特徴とする。
【０００７】
また、本発明は、前記第二の保持手段を支持する連結支持部を備え、前記連結支持部に、前記基部から前記先端アームに向けて前記長尺部材を案内する回転体が設けられ、所定のトルク以下では回転を規制し、かつ所定のトルクを超えると回転を許容する回転保持手段に、前記回転体が連結されていることを特徴とする。
【０００８】
また、本発明は、前記長尺部材が前記先端アームに対して傾斜して配されるように、前記長尺部材を案内する連結側案内部が、前記連結支持部に回転可能に設けられていることを特徴とする。
【０００９】
また、本発明は、前記連結側案内部は、前記先端アームの側に突出する連結側突出部を備え、前記連結側突出部は、前記長尺部材が、前記先端アームの基端部の上方から前記先端アームの先端部に向かって傾斜して配されるように、前記長尺部材を案内することを特徴とする。
【００１０】
また、本発明は、前記長尺部材が前記中間アームに対して傾斜するように前記長尺部材を案内する基部側案内部が、前記基部に設けられていることを特徴とする。
【００１１】
また、本発明は、前記基部側案内部は、前記中間アームの軸線方向に交差する方向であって、前記照明部が配される領域と反対側に突出する基部側突出部を備え、前記基部側突出部は、前記長尺部材が、前記中間アームの基端部の前記反対側から前記中間アームの先端部に向かって傾斜して配されるように、前記長尺部材を案内することを特徴とする。
【００１２】
また、本発明は、前記長尺部材を巻き取る巻き取り部が、巻き取り方向にのみ回転するワンウェイクラッチを介して前記基部に設けられていることを特徴とする。
【発明の効果】
【００１３】
本発明によれば、一つの長尺部材が全体にわたって設けられ、第一の保持手段及び第二の保持手段が設けられていることから、器具全体のカウンターバランスを保持したまま、迅速かつ容易に照明部を移動させることができる。
【発明を実施するための最良の形態】
【００１４】
（実施形態１）
以下、本発明の第１の実施形態における照明器具について、図面を参照して説明する。
本実施形態においては、照明器具をランプスタンドに適用した場合について説明する。
ランプスタンド１は、器具全体を支える基部３と、この基部３に連結された中間アーム１３と、この中間アーム１３に連結された先端アーム１５と、この先端アーム１５の先端に連結された照明部９とを備えている。
基部３は、照明部９が照明する被照明領域の近傍に配置されるものである。また、基部３は、円板状の基盤部４と、基盤部４の上面から上方（直交方向）に延びる基軸部５とを備えている。基軸部５は、基盤部４の上面のうち中央から偏心した位置に設けられている。
【００１５】
基軸部５には、照明部９が配される領域Ａ２に対して基軸部５及び中間アーム１３を挟んで反対側の領域Ａ１側に突出する固定突出部（基部側案内部、基部側突出部）１０が設けられている。なお、基軸部５は、基盤部４の上面のうち領域Ａ１側に偏心している。
固定突出部１０は、基軸部５の軸線に交差する方向に斜め上方に延在している。
これら基軸部５及び固定突出部１０は、一体部品として形成されている。
固定突出部１０の先端部には、巻き取り部３１が設けられている。巻き取り部３１には、後述するワイヤ（長尺部材）３０が巻回されている。巻き取り部３１には、ワンウェイクラッチ３２が連結されており、そのため巻き取り部３１は、ワイヤ３０を巻き取る方向にのみ回転するようになっている。すなわち、巻き取り部３１は、固定突出部１０の先端部において、軸線Ｌ４を中心として矢印Ｒ４方向の一方向にのみ回転するようになっている。なお、矢印Ｒ４方向が、ワイヤ３０の巻き取り方向となる。
【００１６】
また、基軸部５には、中間アーム１３が回転可能に連結されている。すなわち、基軸部５の上端部には、基部用トルクヒンジ（第一の保持手段）１９が設けられており、この基部用トルクヒンジ１９に、中間アーム１３の基端部が取り付けられている。これにより、中間アーム１３は、基盤部４の上面に沿って延びる軸線Ｌ１を中心として、矢印Ｒ１方向に回転するようになっている。軸線Ｌ１は、基軸部５が基盤部４の中心から偏心された偏心方向Hに直交する方向に延在するものである。なお、軸線Ｌ４は、軸線Ｌ１に対して平行に延びる軸線である。
また、基部用トルクヒンジ１９が設けられていることから、中間アーム１３は、所定のトルク以下では基軸部５に対する相対的な回転が規制され、所定のトルクを超えると相対的な回転が許容されるようになっている。
【００１７】
また、中間アーム１３には、先端アーム１５が回転可能に連結されている。すなわち、中間アーム１３の先端部（上端部）には、連結部（連結支持部）２０が設けられており、この連結部２０に連結部用トルクヒンジ（第二の保持手段）２３が設けられている。そして、連結部用トルクヒンジ２３に、先端アーム１５の基端部が取り付けられている。これにより、先端アーム１５及び中間アーム１３は、軸線Ｌ１と平行な軸線Ｌ２を中心として、矢印Ｒ２方向に相対的に回転するようになっている。
そして、連結部用トルクヒンジ２３が設けられていることから、先端アーム１５及び中間アーム１３は、所定のトルク以下では相対的な回転が規制され、所定のトルクを超えると相対的な回転が許容されるようになっている。
なお、先端アーム１５と中間アーム１３とのなす角をθ１とする。
【００１８】
また、連結部２０のうち連結部用トルクヒンジ２３よりも上方の位置には、プーリ（回転体）２７が設けられている。プーリ２７には、ワイヤ３０が掛けられている。すなわち、プーリ２７は、基部３から先端アーム１５に向けてワイヤ３０を案内している。また、プーリ２７は、軸線Ｌ２と平行な軸線Ｌ３を中心として矢印Ｒ３方向に回転するようになっている。プーリ２７は、トルクリミッタ（回転保持手段）２８に連結されている。そのため、プーリ２７は、所定のトルク以下では回転が規制され、所定のトルクを超えると回転が許容されるようになっている。
【００１９】
また、プーリ２７の近傍には、領域Ａ２側に突出する回転突出部（連結側案内部、連結側突出部）２５が回転可能に設けられている。なお、回転突出部２５には、回転を保持する部材が連結されておらず、回転フリーとなっている。回転突出部２５は、軸線Ｌ３を中心として矢印Ｒ３方向に回転するようになっている。
さらに、回転突出部２５には、長手方向の全長にわたって延びる溝部３３が形成されている。この溝部３３内にはワイヤ３０が配されている。
【００２０】
先端アーム１５の内部のうち、基端部には、先端アーム１５の長手方向に伸縮するコイルばね（弾性支持部）３７が設けられている。
また、先端アーム１５の先端部には、樹脂からなる円板状の受け部３５が立てられて設けられている。受け部３５の周面には、不図示の溝部が形成されており、この溝部にワイヤ３０が配されている。さらに、先端アーム１５の先端には、照明部９が回転可能に取り付けられている。
すなわち、先端アーム１５の先端には、照明部用トルクヒンジ４０が設けられており、この照明用トルクヒンジ４０に照明部９の基端部が取り付けられている。これにより、照明部９及び先端アーム１５は、軸線Ｌ２と平行な軸線Ｌ５を中心として矢印Ｒ５方向に相対的に回転するようになっている。
また、照明部用トルクヒンジ４０が設けられていることから、照明部９及び先端アーム１５は、所定のトルク以下では相対的な回転が規制され、所定のトルクを超えると相対的な回転が許容されるようになっている。
【００２１】
照明部９には、照明光を放射するランプ４２が設けられている。また、照明部９には、ランプ４２のオンオフ動作を行うためのスイッチ４３が設けられている。さらに、照明部９には、下方に棒状に延びる操作部４４が設けられている。
【００２２】
さらに、ワイヤ３０は、その基端側が巻き取り部３１に取り付けられて巻回されている。このワイヤ３０は、巻き取り部３１から中間アーム１３の先端に向けて延ばされている。そして、ワイヤ３０は、連結部２０内においてプーリ２７に案内され、先端アーム１５の先端側に緩やかに曲げられて、回転突出部２５の溝部３３内に配され、先端アーム１５の先端まで延ばされている。さらに、ワイヤ３０は、受け部３５の溝部内に配され、受け部３５において先端アーム１５の基端側に折り返されており、ワイヤ３０の一端側がコイルばね３７に取り付けられている。
【００２３】
さらに、ワイヤ３０は、固定突出部１０により、領域Ａ１側において、中間アーム１３の先端に向かうにしたがって中間アーム１３に漸次近づくように、中間アーム１３に対して傾斜して配されている。すなわち、固定突出部１０は基部３から中間アーム１３の先端に向けてワイヤ３０を傾斜させるように案内する基部側案内部として機能するものである。
また、ワイヤ３０は、回転突出部２５により、先端アーム１５の上方において、先端アーム１５の先端に向かうにしたがって先端アーム１５に漸次近づくように、先端アーム１５に対して傾斜して配されている。すなわち、回転突出部２５は、基部３から延びるワイヤ３０を先端アーム１５の先端に向けて傾斜させるように案内する連結側案内部として機能するものである。
【００２４】
次に、このように構成された本実施形態におけるランプスタンド１の作用について説明する。
まず、被照明領域の近傍に基盤部４を配置する。そして、スイッチ４３をオンすると、ランプ４２に電源が供給され、ランプ４２から照明光が放射される。
そして、照明部９を移動させて他の所望領域を照射する場合には、使用者が操作部４４を指などにより把持する。そして、照明部９を所望領域の上方に移動させる。例えば、図１に示すように、基軸部５と中間アーム１３とが同軸上（直線状）に延び、先端アーム１５と中間アーム１３とのなす角θ１が９０°の状態から、照明部９を前方側に移動させるとする。この場合、使用者が操作部４４を把持して、図２に示すように、照明部９を前方側の所定の位置まで移動させる。
【００２５】
このとき、中間アーム１３が基軸部５に対して倒れる方向に回転するとともに、先端アーム１５が中間アーム１３に対して、なす角θ１が大きくなるように回転する。これにより、ワイヤ３０の配線距離が大きくなるが、コイルばね３７が伸びることにより、配線距離の変動が吸収される。
【００２６】
なお、基部用トルクヒンジ１９は、照明部９が最前部にまで配されたときにかかるトルク以下では、摩擦力による保持力によって回転を規制するようになっている。そのため、そのトルクを超える力で使用者が照明部９を移動させ前方側の任意の位置に配しても、基部用トルクヒンジ１９は回転することなく（中間アーム１３が基盤部４に向かって倒れてしまうことなく）、その任意の位置で中間アーム１３の回転位置が保持される。
また、連結部用トルクヒンジ２３は、照明部９が最前部に配されてコイルばね３７が最も多く引っ張られて伸ばされた状態におけるコイルばね３７の復元力以下では、摩擦力による保持力によって回転を規制するようになっている。そのため、照明部９が前方側の任意の位置に配されても、連結部用トルクヒンジ２３は回転することなく（先端アーム１５が上方側に回転することなく）、その任意の位置で先端アーム１５の回転位置が保持される。
そのため、ランプスタンド１全体の重心が調整され、さらに各関節ごとに回転が規制されて、ランプスタンド１全体のバランスが保持される。
【００２７】
また、照明部９を前方に移動させればさせるほど、ワイヤ３０と中間アーム１３とのなす角θ２、及び、ワイヤ３０と先端アーム１５とのなす角θ３が大きくなっていく。一方、照明部９を後方側に移動させればさせるほど、なす角θ２，θ３は小さくなる。ここで、なす角θ２，θ３が所定の角度以下になると、ワイヤ３０と中間アーム１３及び先端アーム１５とのベクトルが重なってしまい、先端アーム１５に対するワイヤ３０の張力が得られなくなる。本実施形態におけるランプスタンド１では、回転突出部２５及び固定突出部１０により、なす角θ２，θ３が所定の角度以下にならないようにワイヤ３０を傾斜させていることから、図３に示すように、照明部９を後方に配しても全体のバランスを保持することができる。
【００２８】
具体的には、通常、なす角θ１が７５°以下になると、先端アームに対するワイヤの張力が得られず全体が倒れてしまうが、本実施形態におけるランプスタンド１では、なす角θ１が４５°になってもワイヤ３０の張力が得られるベクトル角２°が確保される。
【００２９】
さらに、中間アーム１３と先端アーム１５との相対的な回転に応じてワイヤ３０の配線距離が変わるが、プーリ２７が回転することにより、ワイヤ３０がスムーズに案内される。このとき、プーリ２７の回転がトルクリミッタ２８によって規制されていることから、ワイヤ３０に掛かる張力が維持される。そのため、照明部９を移動させたときに振動が発生することが防止される。
【００３０】
また、六角レンチなどにより巻き取り部３１を回転させてワイヤ３０を巻き取ると、コイルばね３７が伸びて復元力が大きくなり、ワイヤ３０の張力が大きくなるため、基部用トルクヒンジ１９、連結部用トルクヒンジ２３及びトルクリミッタ２８を回転させるためには、より大きな力が必要となる。一方、ワンウェイクラッチ３２のロックを解除して、ワイヤ３０を緩めると、コイルばね３７が縮んで復元力が小さくなり、ワイヤ３０の張力が小さくなるため、基部用トルクヒンジ１９、連結部用トルクヒンジ２３及びトルクリミッタ２８を回転させるためには、より小さな力で済むようになる。
【００３１】
以上より、本実施形態におけるランプスタンド１によれば、一本のワイヤ３０が中間アーム１３及び先端アーム１５の全長にわたって設けられ、かつ、基部用トルクヒンジ１９及び連結部用トルクヒンジ２３が設けられていることから、照明部９を任意の位置に移動させても、その位置でバランスを保持することができる。すなわち、ランプスタンド１全体のカウンターバランスを保持したまま、迅速かつ容易に照明部９を移動させることができる。
また、固定用ネジなどを設けると、メンテナンスの負担が増大するが、本実施形態におけるランプスタンド１では、基部用トルクヒンジ１９及び連結部用トルクヒンジ２３が設けられていることから、装置全体のメンテナンスフリーを実現することができる。
また、トルクリミッタ２８が設けられていることから、ワイヤ３０に一定の張力をかけることができ、照明部９を任意の位置に移動させるときに、振動の発生を防止することができる。
【００３２】
また、巻き取り部３１及びワンウェイクラッチ３２が設けられていることから、操作部４４を把持して照明部９を移動させるのに必要な力の強弱を一箇所で容易に調整することができる。
さらに、回転突出部２５により、ワイヤ３０が先端アーム１５に対して傾斜していることから、照明部９を後方に配し、なす角θ３が小さくなっても、全体のカウンターバランスを容易に保持することができる。
また、固定突出部１０により、ワイヤ３０が中間アーム１３に対して傾斜していることから、照明部９を後方に配し、なす角θ２が小さくなっても、全体のカウンターバランスをさらに容易に保持することができる。
【００３３】
なお、上記実施形態においては、中間アーム１３が一つのみ設けられているが、これに限ることはなく、中間アームを複数設けてもよい。この場合、複数の中間アームを互いにトルクヒンジで連結するようにすればよい。
なお、本発明の技術範囲は上記の実施形態に限定されるものではなく、本発明の趣旨を逸脱しない範囲において、種々の変更を加えることが可能である。
【図面の簡単な説明】
【００３４】
【図１】本発明に係る照明器具の第１の実施形態を示す側面図である。
【図２】図１の照明部を前方に移動させた様子を示す側面図である。
【図３】図１の照明部を後方に移動させた様子を示す側面図である。
【符号の説明】
【００３５】
１    ランプスタンド（照明器具）
３    基部
９    照明部
１０  固定突出部（基部側案内部、基部側突出部）
１３  中間アーム
１５  先端アーム
１９  基部用トルクヒンジ（第一の保持手段）
２０  連結部（連結支持部）
２３  連結部用トルクヒンジ（第二の保持手段）
２５  回転突出部（連結側案内部、連結側突出部）
２７  プーリ（回転体）
２８  トルクリミッタ（回転保持手段）
３０  ワイヤ（長尺部材）
３１  巻き取り部
３２  ワンウェイクラッチ
３７  コイルばね（弾性支持部）
【図１】
2008262725.tif 000003
【図２】
2008262725.tif 000004
【図３】
2008262725.tif 000005